(57)【特許請求の範囲】
【請求項１】
プラスチック製の重ね餅形状に形成した容器に餅詰入部を設け、この容器内に餅を詰入して重ね餅を形成した飾り重ね餅であって、重ね餅の正面に、えびや末広や裏白などの複数の装飾体を可撓性を有する透明樹脂シート部に全て一体にカラー写真印刷して前記装飾体を模したカラーシート装飾部を付設し、このカラーシート装飾部付重ね餅を箱体内に収納し、この箱体の少なくとも正面部に、前記箱体内のカラーシート装飾部付重ね餅を透視できる透視部を設け、前記透明樹脂シート部は前記装飾体に近似した形状に形成された構成とし、前記透明樹脂シート部の上部左右に夫々重ねしろ部を突設し、この透明樹脂シート部の重ねしろ部の下方に切込部を設け、前記重ねしろ部を透明樹脂シート部の裏面側で連結して透明樹脂シート部の切込部より上方に丸みを付与し、且つ、切込部より下方を平面のままに構成したことを特徴とする飾り重ね餅。
【請求項２】
前記重ね餅の上部に、重ね餅の上部重ね餅より小さく構成したミカン形状にしてミカン肌とミカン色を表現したプラスチック製の重ね果実を設けたことを特徴とする請求項１記載の飾り重ね餅。
【発明の詳細な説明】
【０００１】
【発明の属する技術分野】
本発明は、正月や祝い事の際に飾りつけたり神棚に飾る飾り重ね餅に関するものである。
【０００２】
【従来の技術及び発明が解決しようとする課題】
従来、プラスチック製の重ね餅容器に餅を詰入して飾る容器入りの重ね餅は公知であり、更に本発明者は上記重ね餅の上に乗せるプラスチック製のミカンも一緒に重ねた飾り重ね餅を発明し、市場において大変な好評を博している。
【０００３】
ところで、この飾り重ね餅の商品価値を高めるため、飾り重ね餅を飾るプラスチック製のえび，裏白，敷紙，御幣，末広，昆布などを装飾部材として飾り重ね餅に付設した飾り重ね餅（以下、従来例という）が提案されているが、この飾り重ね餅には下記の問題点がある。
【０００４】
(1) 装飾部材のプラスチック製のえびや末広などが本物のえびや末広などに比してリアル感に欠ける。
【０００５】
(2) えびや裏白や末広などが夫々単体で製造されるものであるため、裏白の折り返し作業などの装飾部材の製造や飾り重ね餅へ付設する際の付設作業が厄介で、コスト高の要因となる。
【０００６】
本発明は、上記問題点を解決するもので、えびや裏白などが非常にリアルで商品価値が高まるとともに、これらえびや裏白などが一体で製造が簡単な極めて実用性，商品性，生産性に秀れた飾り重ね餅を提供することを目的とする。
【０００７】
【課題を解決するための手段】
添付図面を参照して本発明の要旨を説明する。
【０００８】
プラスチック製の重ね餅形状に形成した容器１に餅詰入部を設け、この容器１内に餅を詰入して重ね餅２を形成した飾り重ね餅であって、重ね餅２の正面に、えびや末広や裏白などの複数の装飾体を可撓性を有する透明樹脂シート部３に全て一体にカラー写真印刷して前記装飾体を模したカラーシート装飾部４を付設し、このカラーシート装飾部４付重ね餅２を箱体６内に収納し、この箱体６の少なくとも正面部に、前記箱体６内のカラーシート装飾部４付重ね餅２を透視できる透視部７を設け、前記透明樹脂シート部３は前記装飾体に近似した形状に形成された構成とし、前記透明樹脂シート部３の上部左右に夫々重ねしろ部８を突設し、この透明樹脂シート部３の重ねしろ部８の下方に切込部13を設け、前記重ねしろ部８を透明樹脂シート部３の裏面側で連結して透明樹脂シート部３の切込部13より上方に丸みを付与し、且つ、切込部13より下方を平面のままに構成したことを特徴とする飾り重ね餅に係るものである。
【０００９】
また、前記重ね餅２の上部に、重ね餅２の上部重ね餅２ａより小さく構成したミカン形状にしてミカン肌とミカン色を表現したプラスチック製の重ね果実５を設けたことを特徴とする請求項１記載の飾り重ね餅に係るものである。
【００１０】
【発明の実施の形態】
好適と考える本発明の実施の形態（発明をどのように実施するか）を、図面に基づいてその作用効果を示して説明する。
【００１１】
えびや末広や裏白などの装飾体を模したカラーシート装飾部４は、透明樹脂シート部３に例えば本物のえびや末広や裏白などをカラー写真印刷を行って形成されたものであるため、えびや末広や裏白などを模したカラーシート装飾部４が本物そっくりで、えびの足や髭などの細部までが再現できて極めてリアルとなり、商品価値が高まることになる。
【００１２】
また、透明樹脂シート部３においてカラーシート装飾部４以外の部分は重ね餅２を透視できることになるため、重ね餅２に本物のえびや末広や裏白などの装飾体のみを設けたように見えることになり、この点においても商品価値が高まることになる。
【００１３】
また、えびや末広や裏白などの装飾体が透明樹脂シート部３として一体の状態で重ね餅２に設けられることになるため、従来例のようにえびや末広や裏白などを夫々別々に重ね餅に付設する場合と異なり付設作業が容易で製造コスト安となる。また、購買者自身が重ね餅２に透明樹脂シート部３を付設する構成として販売しても、購買者が接着テープなどを使用して極めて簡単に重ね餅２に透明樹脂シート部３を付設することができ、この点においても商品価値が高まることになる。
【００１４】
また、この透明樹脂シート部３付重ね餅２を箱体６内に収納して販売する販売形態を採用した際、箱体６の正面部などに透視部７を設けると本物そっくりのリアルなえびや末広や裏白などの装飾体が付設された重ね餅２が購買者に良く見えて購買意欲を極めてそそることができ、この点においても商品価値が高まることになる。
【００１５】
【実施例】
本発明の具体的な実施例について図面に基づいて説明する。
【００１６】
本実施例は、プラスチック製の重ね餅形状に形成した容器１に餅詰入部を設け、この容器１内に餅を詰入して重ね餅２を形成した飾り重ね餅であって、重ね餅２の正面に、えびや末広や裏白などの装飾体を透明樹脂シート部３にカラー印刷して前記装飾体を模したカラーシート装飾部４を配設したものである。
【００１７】
容器１内に詰入される餅は、餅そのもの若しくは袋詰の小さな餅体（個包装した真空パック詰めの餅片）を使用し、この餅は容器１の下部に設けた餅詰入部から詰入される。
【００１８】
重ね餅２の上部には、重ね餅２の上部重ね餅２ａより小さく構成したミカン形状にしてミカン肌とミカン色を表現したプラスチック製の重ね果実５を設けている。尚、この重ね果実５には、重ね果実５をより一層本物のミカンに近似させるため同じくプラスチック製の茎と葉とを設けている。
【００１９】
また、この重ね果実５付重ね餅２には、下部が重ね餅２に当接し上部が重ね果実４を覆うプラスチック製の透明カバー体10を着脱自在に設けている。従って、重ね果実５と重ね餅２とを付設しない場合でも透明カバー体10の位置決め作用によって重ね果実５が重ね餅２上の適所に載置されて落下したりしないことになり、しかも、この重ね果実５付重ね餅２を箱体６に収納して上下多段に積み重ねても、透明カバー体10の保護作用によって重ね果実５が押し潰されたりしないことになる。また、この透明カバー体10の正面側には切欠部11を設けており、この切欠部11によって重ね果実５付重ね餅２の正面側大部分が露出させることにより、より一層体裁が良好になるように設定している。
【００２０】
カラー印刷としては、カラーシート装飾部４を最も本物の装飾体に近似させることができる写真印刷を採用する。
【００２１】
カラーシート装飾部４は本物のえびや末広や裏白などの装飾体を透明樹脂シート部３に写真印刷する。また、コンピュータなどでグラフィック処理した装飾体を写真印刷しても良い。
【００２２】
透明樹脂シート部３は、図３に図示したように、装飾体に近似した形状に形成して透明樹脂シート部３に設けられたカラーシート装飾部４をより一層本物の装飾体に近似するように構成している。また、この透明樹脂シート部３の上部左右に夫々重ねしろ部８を突設し、この重ねしろ部８を透明樹脂シート部３の裏面側で連結することによって透明樹脂シート部３に丸みをもたせ、この丸みによってカラーシート装飾部４に立体感を付与するように設定してより一層本物の装飾体に近似するように構成している。また、符号13は切込部であり、透明樹脂シート部３に丸みをもたせた際、この切込部13より上方は丸みをもってカラーシート装飾部４のえび部分などに立体感が付与され、また切込部13より下方は平面のままとなり、カラーシート装飾部４の裏白部分など平面的な方が良い部分を平面感のままの状態となるように構成している。
【００２３】
透明樹脂シート部３の下部には折曲部９を設け、この折曲部９を重ね餅２若しくは重ね餅２を載置する台座部12の下方に位置せしめて透明樹脂シート部３の下部を位置決めできるように構成している。また、透明樹脂シート部３の上部の位置決めは、前記重ねしろ部８を重ね餅２や重ね果実５若しくは前記透明カバー体10に接着テープなどによって貼着して行う。
【００２４】
このカラーシート装飾部４付重ね餅２は箱体10に収納し、この箱体10を上下多段に積み重ねた状態で販売される。
【００２５】
箱体10の正面部と上面部には箱体10内のカラーシート装飾部４付重ね餅２を透視できる透視部７が設けられており、この箱体10を上下多段に積み重ねた際、正面側及び最上段の箱体10の上面側から箱体10内のカラーシート装飾部４付重ね餅２が体裁良く見えてより一層購買意欲をそそるように構成している。尚、図示していないが、箱体10には正月や祝い事にふさわしい豪華な図柄が描かれており、体裁をより一層良好にして購買意欲をそそれるように構成している。
【００２６】
本実施例は上述のように構成したから、重ね餅２の正面に細部まで細かく表現された本物そっくりのリアルなえびや末広や裏白などのカラーシート装飾部４が設けられて極めて体裁が良好となり、しかも、カラーシート装飾部４は透明シート部３に一体に写真印刷されて設けられているから、カラーシート装飾部４を設ける作業も簡単に行えることになる実用性，商品性，生産性に秀れた飾り重ね餅となる。
【００２７】
また、透明シート部３は重なりしろ部８や切込部13によって適切な立体感が付与されており、透明シート部３に設けられたカラーシート装飾部４がより一層本物そっくりでリアルになるより一層実用性，商品性に秀れた飾り重ね餅となる。
【００２８】
また、透明シート部３はカラーシート装飾部４以外の部分において重ね餅２や飾り果実５を透視することができるから、重ね餅２にカラーシート装飾部４のみが設けられたように見えることになりより一層体裁が良好で商品価値が高まることになるより一層実用性，商品性に秀れた飾り重ね餅となる。
【００２９】
また、カラーシート装飾部４は透明シート部３に印刷された構成であるから、落下などのアクシデントによっても透明シート部３の可撓性故にカラーシート装飾部４が破損したりしにくく、また、箱体６に収納した際にも、例えば、透明シート部３の上側に大きく突出することになるえびの触覚が箱体６の内周壁に沿って撓わむことができ、箱体６に設けられた透視部７からカラーシート装飾部４が設けられた重ね餅２を透視した際、このカラーシート装飾部４が設けられた重ね餅２が極めて体裁良く見えて購買意欲をそそることになるより一層実用性，商品性に秀れた飾り重ね餅となる。
【００３０】
また、飾り果実５付重ね餅２の上部には透明カバー体10が設けられているから、重ね餅２に飾り果実５を付設しない風習地域での飾りつけのために重ね餅２と飾り果実５とを接着しない販売形態でも透明カバー体10の位置決め作用によって重ね餅２から飾り果実５が落下したりせずに安定状態で載置されることになり、また、飾り果実５付重ね餅２を箱体６に収納して上下多段に積み重ねても透明カバー体10の保護作用によって重ね餅２の重さによって飾り果実５が押し潰されたりしないことになるより一層実用性に秀れた飾り重ね餅となる。
【００３１】
また、透明カバー体10には切欠部11が設けられているから、重ね餅２や飾り果実５が露出していて極めて体裁が良好となり、より一層購買意欲をそそることができるより一層実用性，商品性に秀れた飾り重ね餅となる。
【００３２】
【発明の効果】
本発明は上述のように構成したから、重ね餅の正面に本物そっくりのリアルなえびや末広や裏白などのカラーシート装飾部が付設されて極めて体裁が良好となり、しかも、カラーシート装飾部は透明シート部に一体にカラー写真印刷されて設けられているから、カラーシート装飾部を設ける作業が簡単に行え、しかも、透明シート部はカラーシート装飾部以外の部分において重ね餅を透視することができるから、重ね餅にカラーシート装飾部のみが設けられたように見えることになり体裁が良好で商品価値が高まることになる実用性，商品性に秀れた飾り重ね餅となる。
【００３３】
また、カラーシート装飾部は透明シート部に印刷された構成であるから、落下などのアクシデントによっても透明シート部の可撓性故にカラーシート装飾部が破損したりしにくく、また、箱体に収納した際にも、例えば、透明シート部の上側に大きく突出する場合があるえびの触覚などが箱体の内周壁に沿って撓わむことができ、箱体に透視部を設けて透視部からカラーシート装飾部が設けられた重ね餅を透視できるように構成した際、このカラーシート装飾部が設けられた重ね餅が極めて体裁良く見えて購買意欲をそそることになる実用性，商品性に秀れた飾り重ね餅となる。
【００３４】
また、透明樹脂シート部に写真印刷されているカラーシート装飾部がえびや末広や裏白などにより一層近似していて本物そっくりのリアル感が高まることになるより一層実用性，商品性に秀れた飾り重ね餅となる。
【００３５】
また、カラーシート装飾部付重ね餅を収納する箱体の少なくとも正面部に透視部を設けたから、店頭において箱体を上下多段に積み重ねて販売する際、正面側から箱体内のカラーシート装飾部付重ね餅が体裁良く良好に見えてより一層購買意欲とそそることになる極めて実用性，商品性に秀れた飾り重ね餅となる。
【００３６】
また、透明樹脂シート部が装飾体に近似した形状に形成されているから、カラーシート装飾部がより一層装飾体に近似したように見えてより一層体裁が良好になるより一層実用性，商品性に秀れた飾り重ね餅となる。
【００３７】
また、透明樹脂シート部の上方に丸みが、また、下方には平面感が付与されてカラーシート装飾部がより一層本物そっくりとなり、それだけより一層実用性，商品性に秀れた飾り重ね餅となる。
【００３８】
請求項２記載の発明においては、重ね餅の上部にミカンそっくりの飾り果実を設けたから、それだけ商品価値が高まってより一層購買意欲とそそることになるより一層実用性，商品性に秀れた飾り重ね餅となる。
【図面の簡単な説明】
【図１】  本実施例の説明斜視図である。
【図２】  本実施例の販売形態を示す説明斜視図である。
【図３】  本実施例の透明樹脂シート部３の説明正面図である。
【符号の説明】
１  容器
２  重ね餅
２ａ  上部重ね餅
３  透明樹脂シート部
４  カラーシート装飾部
５  重ね果実
６  箱体
７  透視部
８  重ねしろ部
13  切込部
【図１】
0003645713.tif 000002
【図２】
0003645713.tif 000003
【図３】
0003645713.tif 000004